(57)【要約】      （修正有）【課題】供給される電圧のゆらぎによって表示データにおける可視欠陥の発生しない表示ドライバを提供する。【解決手段】表示ドライバは、表示パネル上に表示される第一のラインの画像データを格納するラインメモリと、前記第一のラインの画像データを表示するときに前記表示パネルに流れる電流から、前記第一のラインの次に表示される第二のラインの画像データを表示するときに前記表示パネルに流れる電流への変化量に基づき、前記表示パネルに出力される前記第一のラインの画像データを補正する補正回路と、を備える。【選択図】図４
2019095527.tif 000002
【特許請求の範囲】
【請求項１】
表示パネル上に表示される第一のラインの画像データを格納するラインメモリと、
前記第一のラインの画像データを表示するときに前記表示パネルに流れる電流から、前記第一のラインの次に表示される第二のラインの画像データを表示するときに前記表示パネルに流れる電流への変化量に基づき、前記表示パネルに出力される前記第一のラインの画像データを補正する補正回路と、を備える表示ドライバ。
【請求項２】
前記変化量は、前記第二のラインより前のラインの画像データの平均画像レベルから前記第二のラインの画像データの平均画像レベルへの変化量である請求項１に記載の表示ドライバ。
【請求項３】
前記第二のラインより前のラインの画像データの平均画像レベルは、前記第二のラインより前の所定数のラインの平均画像レベルの平均値である請求項２に記載の表示ドライバ。
【請求項４】
前記補正回路は、前記第二のラインの画像データの平均画像レベルと、前記平均値との差に基づき、前記第一のラインの画像データを補正する請求項３に記載の表示ドライバ。
【請求項５】
前記補正回路は、前記第二のラインの画像データの平均画像レベルと前記平均値との差に応じた補正量を記憶するルックアップテーブルを備える請求項３又は４に記載の表示ドライバ。
【請求項６】
前記第二のラインの画像データの平均画像レベル及び前記平均値を前記ルックアップテーブルに出力する補間回路を更に備え、
前記ルックアップテーブルは、入力された前記第二のラインの画像データの平均画像レベル及び前記所定数のラインの平均画像レベルの平均値に基づき補正量を算出する請求項５に記載の表示ドライバ。
【請求項７】
ライン毎に画像データの平均画像レベルを算出する平均画像レベル演算回路を更に備える請求項１乃至６のいずれか一項に記載の表示ドライバ。
【請求項８】
前記表示パネルが備える複数のソース線のそれぞれに設けられたマルチプレクサを更に備え、
前記マルチプレクサが駆動するとき、前記ソース線にソース電圧が供給され、
前記補正回路は、前記マルチプレクサが駆動する順番に応じて、前記第一のラインの画像データを補正する請求項１乃至７のいずれか一項に記載の表示ドライバ。
【請求項９】
少なくとも前記所定数のラインのそれぞれの前記平均画像レベルを記憶するレジスタを更に備える請求項１乃至８のいずれか一項に記載の表示ドライバ。
【請求項１０】
入力画像データの複数の入力ラインを、一つのラインに変換して、該変換されたラインの画像データを前記表示パネル上に表示するとき、前記平均画像レベル演算回路は、前記複数の入力ライン毎に、前記入力画像データの平均画像レベルを算出し、
前記第二のラインより前に表示された画像データの平均画像レベルから前記第二のラインの画像データの平均画像レベルへの変化量に基づき、前記第一のラインの画像データを補正する請求項７に記載の表示ドライバ。
【請求項１１】
前記平均画像レベル演算回路は、前記第二のラインに変換された複数の入力ラインに基づき、前記第二のラインの画像データの平均画像レベルを算出し、
前記平均画像レベル演算回路は、前記第二のラインに変換された前記複数の入力ラインから１ラインずつずらした所定数の複数の入力ラインに基づき、前記第二のラインより前に表示された画像データの平均画像レベルを算出する請求項１０に記載の表示ドライバ。
【請求項１２】
表示パネルと、該表示パネルに画像データを表示させる表示ドライバと、を備える表示装置であって、
前記表示ドライバは、
表示パネル上に表示される第一のラインの画像データを格納するラインメモリと、
前記第一のラインの画像データを表示するときに前記表示パネルに流れる電流から、前記第一のラインの次に表示される第二のラインの画像データを表示するときに前記表示パネルに流れる電流への変化量に基づき、前記表示パネルに出力される前記第一のラインの画像データを補正する補正回路と、を備える表示装置。
【請求項１３】
前記変化量は、前記第二のラインより前のラインの画像データの平均画像レベルから前記第二のラインの画像データの平均画像レベルへの変化量である請求項１２に記載の表示装置。
【請求項１４】
前記第二のラインより前のラインの画像データの平均画像レベルは、前記第二のラインより前の所定数のラインの平均画像レベルの平均値である請求項１３に記載の表示装置。
【請求項１５】
前記補正回路は、前記第二のラインの画像データの平均画像レベルと、前記平均値との差に基づき、前記第一のラインの画像データを補正する請求項１４に記載の表示装置。
【請求項１６】
表示パネル上に表示される第一のラインの画像データを、表示ドライバのラインメモリに格納し、
前記第一のラインの画像データを表示するときに前記表示パネルに流れる電流から、前記第一のラインの次に表示される第二のラインの画像データを表示するときに前記表示パネルに流れる電流への変化量に基づき、前記表示パネルに出力される前記第一のラインの画像データを補正する、画像補正方法。
【請求項１７】
前記変化量は、前記第二のラインより前のラインの画像データの平均画像レベルから前記第二のラインの画像データの平均画像レベルへの変化量である請求項１６に記載の画像補正方法。
【請求項１８】
前記第二のラインより前のラインの画像データの平均画像レベルは、前記第二のラインより前の所定数のラインの平均画像レベルの平均値である請求項１７に記載の画像補正方法。
【請求項１９】
前記第二のラインの画像データの平均画像レベルと、前記平均値との差に基づき、前記第一のラインの画像データを補正する請求項１８に記載の画像補正方法。
【請求項２０】
入力画像データの複数の入力ラインを、一つのラインに変換して、該変換されたラインの画像データを前記表示パネル上に表示するとき、前記複数の入力ライン毎に、前記入力画像データの平均画像レベルを算出し、
前記第二のラインより前に表示された画像データの平均画像レベルから前記第二のラインの画像データの平均画像レベルへの変化量に基づき、前記第一のラインの画像データを補正する請求項１６乃至１９のいずれか一項に記載の画像補正方法。
【発明の詳細な説明】
【技術分野】
【０００１】
本発明は、表示ドライバ、表示装置及び画像補正方法に関する。
【背景技術】
【０００２】
液晶表示パネルやＯｒｇａｎｉｃ  Ｌｉｇｈｔ  Ｅｍｉｔｔｉｎｇ  Ｄｉｏｄｅ（ＯＬＥＤ）表示パネル等の表示パネルは、例えば、ノートブックコンピュータやデスクトップコンピュータ、スマートフォンといった電子機器に用いられている。例えば、表示パネルに表示される表示データの階調値が大きく変動し、供給される電圧のゆらぎによって表示データにおける可視欠陥が生じる場合がある。
【先行技術文献】
【特許文献】
【０００３】
【特許文献１】特開２００６−００３８８０号公報
【特許文献２】特開２００６−１６３０７４号公報
【特許文献３】特表２００７−５２３３７７号公報
【概要】
【０００４】
一の観点では、表示ドライバは、表示パネル上に表示される第一のラインの画像データを格納するラインメモリと、前記第一のラインの画像データを表示するときに前記表示パネルに流れる電流から、前記第一のラインの次に表示される第二のラインの画像データを表示するときに前記表示パネルに流れる電流への変化量に基づき、前記表示パネルに出力される前記第一のラインの画像データを補正する補正回路と、を備える。
【図面の簡単な説明】
【０００５】
【図１Ａ】一実施形態における表示装置の構成の一例を示すブロック図である。
【図１Ｂ】一実施形態における画素回路の構成の一例を示すブロック図である。
【図２】一実施形態における表示パネルに表示されるラインの一例を示す図である。
【図３】一実施形態における画像データの補正処理の概要の一例を説明するための図である。
【図４】一実施形態における補正回路の構成の一例を示すブロック図である。
【図５】一実施形態におけるＡＰＬリングレジスタの構成の一例を示す図である。
【図６】一実施形態における画像データ補正ＬＵＴの構成の一例を示す図である。
【図７】一実施形態におけるＭＵＸ補正ＬＵＴの構成の一例を示す図である。
【図８】一実施形態におけるＭＵＸの構成の一例を示す図である。
【図９】一実施形態における画像データの補正処理フローの一例を示す図である。
【図１０】一実施形態の変形例における表示装置の構成の一例を示すブロック図である。
【図１１】一実施形態の変形例におけるＳＰＲモードにおけるＡＰＬ算出方法の一例を示す図である。
【詳細な説明】
【０００６】
以下、実施形態について、図面を参照して詳細に説明する。なお、ここに開示された技術がこれら実施形態の詳細説明がなくとも当業者により実施され得ることは明らかである。また、以下において、説明を不要に複雑にすることを避けるため、周知の特徴を詳細には説明していない。
【０００７】
図１Ａは、一実施形態における表示装置１の構成を示すブロック図である。表示装置１は、表示パネル２０及び表示ドライバ１０を備える。
【０００８】
表示装置１０は、ユーザに表示パネル２０に表示される情報を提供する表示機能を有する。表示装置１０は、表示パネルを備える電子機器の一例である。電子機器は、例えば、スマートフォン、ラップトップコンピュータ、ネットブックコンピュータ、タブレット、ウェブブラウザ、電子ブックリーダー、パーソナルデジタルアシスタント（ＰＤＡ）といった携帯電子機器に限らない。例えば、電子機器は、表示パネルを備えるデスクトップコンピュータ又は表示パネルが用いられる自動車に搭載される表示機器等、あらゆるサイズ及び形状の機器であってもよい。また、タッチセンサを備え、指やスタイラス等の入力物体のタッチ検出が可能とされていてもよい。
【０００９】
表示パネル２０は、例えば、Ｏｒｇａｎｉｃ  Ｌｉｇｈｔ  Ｅｍｉｔｔｉｎｇ  Ｄｉｏｄｅ（ＯＬＥＤ）表示パネルや液晶表示パネルである。表示パネル２０は、ゲート線２１、データ線２２、ゲート線駆動回路２３、エミッション駆動回路２４、エミッション線２５及び画素回路Ｐを備える。
【００１０】
それぞれの画素回路Ｐは、図１Ｂに示すように、ゲート線２１とデータ線２２とが交差する位置に設けられており、赤、緑、青のいずれかの色を表示する。各画素回路Ｐは、エミッション線２５に接続されている。赤を表示する画素回路Ｐは、Ｒサブピクセルとして用いられる。同様に、緑を表示する画素回路ＰはＧサブピクセルとして用いられ、青を表示する画素回路ＰはＢサブピクセルとして用いられる。
【００１１】
表示パネル２０がＯＬＥＤ表示パネルである場合、赤、緑、青を表示する画素回路Ｐはそれぞれ赤色、緑色、青色の光を発光する発光素子であるＯＬＥＤを備える。ＯＬＥＤは、エミッション駆動回路２４からのエミッション信号に基づき、高電圧ＥＬＶＤＤと低電圧ＥＬＶＳＳとの電位差が生じ、ＥＬＶＤＤからＯＬＥＤに電流が流れることでＯＬＥＤが点灯する。
【００１２】
図１Ａに戻り、ゲート線駆動回路２３は、表示ドライバ１０から受け取ったゲート制御信号に応じてゲート線２１を駆動する。
【００１３】
エミッション駆動回路２４は、表示ドライバ１０から受け取ったエミッション制御信号に応じてエミッション線２５を駆動する。
【００１４】
表示ドライバ１０は、ホスト２から受け取った画像データ及び制御データに応じて表示パネル２０を駆動して表示パネル２０に画像を表示する。画像データは、表示すべき画像（元画像）の各画素の各サブピクセルの階調値を記述している。制御データは、表示ドライバ１０を制御するためのコマンド及びパラメータを含んでいる。
【００１５】
ホスト２は、例えば、アプリケーションプロセッサ、Ｃｅｎｔｒａｌ  Ｐｒｏｃｅｓｓｉｎｇ  Ｕｎｉｔ（ＣＰＵ）、Ｄｉｇｉｔａｌ  Ｓｉｇｎａｌ  Ｐｒｏｃｅｓｓｏｒ（ＤＳＰ）である。
【００１６】
表示ドライバ１０は、インターフェース制御回路１１、ラインメモリ１２、補正回路１３、データ線駆動回路１４及びマルチプレクサ（ＭＵＸ）１５を備える。
【００１７】
インターフェース制御回路１１は、ホスト２から受け付けた画像データを補正回路１３に転送する。インターフェース制御回路１１は、制御データに含まれるコマンドに応答して表示ドライバ１０の各回路を制御する。
【００１８】
一実施形態では、インターフェース制御回路１１は、こらから表示パネル２０上に表示されるｎ番目のラインの画像データをラインメモリ１２に出力し、ｎ番目のラインの次に表示されるｎ＋１番目のラインの画像データを補正回路１３に出力する。実施形態において、ｎ番目のラインの画像データをｎ番目のラインデータともいう。図２に示すように、例えば、表示パネル２０に表示されるｎ番目のラインの次に、ゲート線２１に対する走査方向において、ｎ＋１番目のラインが表示される。
【００１９】
ラインメモリ１２は、インターフェース制御回路１１に入力された画像データを格納
するメモリであり、例えば、Ｓｔａｔｉｃ  Ｒａｎｄｏｍ  Ａｃｃｅｓｓ  Ｍｅｍｏｒｙ（ＳＲＡＭ）で構成される。ラインメモリ１２は、例えば、表示ドライバ１０が駆動する表示パネル２０の１ラインの画像データを記憶する。
【００２０】
補正回路１３は、インターフェース制御回路１１から受け付けた画像データに対して所望の画像データ処理を行う。
【００２１】
補正回路１３は、ラインデータをそれぞれ表示するときの表示パネル２０に流れる電流の変化に基づき、表示パネル２０を駆動する画像データを補正する。例えば、補正回路１３は、ラインメモリ１２から読み出されるｎ番目のラインデータとｎ＋１番目のラインデータとに基づき、ｎ番目のラインデータに対する補正量を算出し、ｎ番目のラインデータを補正する。補正回路１３は、補正された画像データを、データ線駆動回路１４に出力し、表示パネル２０に表示させる。補正回路１３の動作の詳細については後述する。
【００２２】
データ線駆動回路１４は、補正された画像データの階調値に対応するソース電圧で各データ線２２を駆動する。ＭＵＸ１５は、データ線２２毎に設けられ、ＭＵＸ１５が駆動するとき、データ線２２にソース電圧が供給される。複数のＭＵＸ１５は、順次駆動される。
【００２３】
例えば、元画像においてグレーから黒のように階調値が大きく変化するラインが含まれる場合、表示パネル２０に流れる電流の変化が大きくなり、ＥＬＶＤＤの電源のゆらぎが発生し得る。一実施形態によれば、図３に示すようなＥＬＶＤＤの電源のゆらぎによって生じ得る水平階調ライン（疑似ライン）を発生させることなく、表示データを表示できる。水平階調ラインの発生に影響を与えるＥＬＶＤＤの電源のゆらぎを推定するため、一実施形態による画像補正処理によれば、これから表示するｎ番目のラインデータを表示するときに表示パネル２０に流れる電流からｎ＋１番目のラインデータを表示するときに流れる電流への変化量に基づき、表示パネル２０に出力されるｎ番目のラインデータを補正する。例えば、表示パネル２０に流れる電流の変化量は、ｎ番目のラインデータの輝度の平均値である平均画像レベル（Ａｖｅｒａｇｅ  Ｐｉｃｔｕｒｅ  Ｌｅｖｅｌ（ＡＰＬ））と次に表示するｎ＋１番目のラインデータのＡＰＬとを比較することで、ＡＰＬの変化量を算出する。なお、ＥＬＶＤＤの電源のゆらぎは、複数のラインデータに影響を与え得るため、例えば、ｎ＋１番目のラインデータのＡＰＬと比較するＡＰＬは、ｎ＋１番目のラインデータより前の所定数のラインデータのＡＰＬの平均値であってもよい。これにより、表示パネル２０に流れる電流の変化に起因する電源のゆらぎによる複数ラインへの影響を補正できる。
【００２４】
図４は、一実施形態における補正回路１３の構成を示すブロック図である。補正回路１３は、ＡＰＬ演算回路１３１、ＡＰＬリングレジスタ１３２、ＡＰＬ−Ｌｏｏｋｕｐ  Ｔａｂｌｅ（ＬＵＴ）補間回路１３３、画像データ補正ＬＵＴ１３４及びＭＵＸ補正回路１３５を備える。なお、ＡＰＬ演算回路１３１、ＡＰＬリングレジスタ１３２、ＡＰＬＵＴ補間回路１３３、画像データ補正ＬＵＴ１３４及びＭＵＸ補正回路１３５の全て又はいずれかは、補正回路１３に含まれていなくてもよく、表示ドライバ１０に含まれていればよい。
【００２５】
ＡＰＬ演算回路１３１は、入力されるラインデータのＡＰＬをサブピクセルＲ、Ｇ、Ｂ毎に算出し、合算する。ＡＰＬは、輝度の平均値を示す。実施形態では、次に表示されるｎ＋１番目のラインデータのＡＰＬが算出される。ＡＰＬ演算回路１３１は、算出したＡＰＬをＡＰＬリングレジスタ１３２及びＡＰＬ−ＬＵＴ補間回路１３３に出力する。
【００２６】
ＡＰＬリングレジスタ１３２は、ｎ番目以前の複数のラインデータのＡＰＬを記憶している。ＡＰＬリングレジスタ１３２は、ｎ＋１番目のラインデータのＡＰＬが入力されると、最も古いラインデータのＡＰＬを削除し、ｎ＋１番目のラインデータＡＰＬを記憶する。
【００２７】
図５は、ＡＰＬリングレジスタ１３２の構成の一例を示す図である。図５の上図に示すように、ｎ＋１番目のラインデータのＡＰＬがＡＰＬリングレジスタ１３２に入力される前、ＡＰＬリングレジスタ１３２は、例えば、ｎ−７〜ｎ番目のラインデータのそれぞれのＡＰＬを、フリップフロップ（ＦＦ）を用いて記憶している。
【００２８】
次に、図５の下図に示すように、ｎ＋１番目のラインデータのＡＰＬがＡＰＬリングレジスタ１３２に入力されると、ＡＰＬリングレジスタ１３２は、最も古いｎ−７番目のラインデータのＡＰＬに代えて、ｎ＋１番目のラインデータのＡＰＬを記憶する。このように、図５では、ＡＰＬリングレジスタ１３２は、合計８個のラインデータのＡＰＬを記憶する例を示したが、ＡＰＬリングレジスタ１３２に記憶されるラインデータのＡＰＬの数は、一以上の任意の数であればよい。
【００２９】
画像データ補正ＬＵＴ１３４は、ｎ＋１番目のラインデータより前の所定数のラインデータのＡＰＬの平均値から、これから表示されるｎ番目のラインデータの次に表示されるｎ＋１番目のラインデータのＡＰＬへの変化量に応じた、ラインデータの補正量を記憶する。
【００３０】
画像データ補正ＬＵＴ１３４は、図６に示すように、水平方向のｃｕｒｒｅｎｔ  ＡＰＬは、ｎ番目のラインデータ及びそれ以前に表示されたラインデータのＡＰＬの平均値を示す。図６の垂直方向のｎｅｘｔ  ＡＰＬは、ｎ＋１番目のラインデータのＡＰＬを示す。画像データ補正ＬＵＴ１３４には、ｃｕｒｒｅｎｔ  ＡＰＬとｎｅｘｔ  ＡＰＬとに対応する補正量が示されている。
【００３１】
図４に戻り、ＡＰＬ−ＬＵＴ補間回路１３３は、ｎ番目のラインデータの次に表示されるｎ＋１番目のラインデータのＡＰＬと、ｎ＋１番目のラインデータより前に表示された所定数のラインデータのＡＰＬの平均値との差を算出する。
【００３２】
例えば、５ラインのラインデータにおいて、１から５番目のラインデータ＃０〜４のＡＰＬがそれぞれ、１００、１００、１００、０、０であり、ＥＬＶＤＤの電源のゆらぎが影響を与え得るライン数を２ラインとした場合、ＡＰＬ−ＬＵＴ補間回路１３３は次の動作を行う。この場合、電源のゆらぎが影響を与え得るライン数は２ラインであるため、２つのラインデータのＡＰＬの平均値が算出される。
【００３３】
まず、ｎ＝２の場合、つまり２番目のラインデータ＃１をこれから表示する場合、ＡＰＬ−ＬＵＴ補間回路１３３は、１、２番目のラインデータ＃０、１のＡＰＬの平均値（１００＋１００）／２＝１００と、３番目のラインデータ＃２のＡＰＬ１００との差を算出する。この場合、差は０であるため、補正量は０となる。
【００３４】
ｎ＝３の場合、つまり３番目のラインデータ＃２をこれから表示する場合、ＡＰＬ−ＬＵＴ補間回路１３３は、２、３番目のラインデータ＃１、２のＡＰＬの平均値（１００＋１００）／２＝１００と、４番目のラインデータ＃３のＡＰＬ０との差を算出する。この場合、差は１００であり、図６に示す画像データ補正ＬＵＴ１３４におけるＬＵＴ［ｃｕｒｒｅｎｔ  １００］［ｎｅｘｔ  ０］で参照されるデータが補正量となる。
【００３５】
ｎ＝４の場合、つまり４番目のラインデータ＃３をこれから表示する場合、ＡＰＬ−ＬＵＴ補間回路１３３は、３、４番目のラインデータ＃２、３のＡＰＬの平均値（１００＋０）／２＝５０と、５番目のラインデータ＃４のＡＰＬ０との差を算出する。この場合、差は５０であり、図６に示す画像データ補正ＬＵＴ１３４におけるＬＵＴ［ｃｕｒｒｅｎｔ  ５０］［ｎｅｘｔ  ０］で参照されるデータが補正量となる。このように、実施形態では、１ライン毎に順次補正量が計算される。
【００３６】
ＭＵＸ補正回路１３５は、ＭＵＸ１５が駆動する順序に応じた補正量を算出し、ＡＰＬ−ＬＵＴ補間回路１３３に出力する。ＭＵＸ補正回路１３５は、図７に示すＭＵＸ１５の駆動順序と補正量とを対応づけたＬＵＴを含んでもよい。
【００３７】
図８に示すように、例えば、ＭＵＸ１５がＭＵＸ＃１及びＭＵＸ＃２を含む場合、ＭＵＸ＃１がソース線２２に電圧を送り、続いてＭＵＸ＃２がデータ線２２に電圧を送る。例えば、ＭＵＸ＃１による電圧の送信が始まる前に他のエミッションやＯＬＥＤを駆動するトランジスタのＶＴキャンセルのような処理が実行されるため、ＭＵＸ＃１の駆動時間が十分でない場合もある。したがって、一実施形態では、ＭＵＸ１５が駆動する順序に応じて、画像データが補正されることにより、ＭＵＸの駆動順序に依存したＥＬＶＤＤ揺れの補正を実現することが可能となる。ＭＵＸ補正回路１３５に対して複数のＭＵＸ１５が駆動する順序が入力されたとき、ＭＵＸ補正回路１３５は、図７に示すＬＵＴに基づき、ＭＵＸ１５の駆動順序に応じた補正量を算出する。ＭＵＸ１５の駆動順序に応じた補正量は、ＡＰＬ−ＬＵＴ補間回路１３３において算出された補正量に対して重みづけする係数として示されてもよい。
【００３８】
一実施形態における表示ドライバ１０による画像データの補正処理は、図９のフローのように実行される。
【００３９】
まず、ラインメモリ１２にｎ番目のラインデータが記憶される（ステップＳ１１）。
【００４０】
次に、ＡＰＬ演算回路１３１は、次に表示されるｎ＋１番目のラインデータのＡＰＬを算出する（ステップＳ１２）。
【００４１】
ＡＰＬ−ＬＵＴ補間回路１３３は、ＡＰＬリングレジスタ１３２に記憶されているｎ番目以前のラインデータのＡＰＬを参照し（ステップＳ１３）、ｎ＋１番目のラインデータのＡＰＬとｎ＋１番目より前の所定数のラインデータのＡＰＬの平均値との差を算出する（ステップＳ１４）。
【００４２】
画像データ補正ＬＵＴ１３４において、算出された差に対応する補正量が算出される（ステップＳ１５）。
【００４３】
さらに、ＭＵＸ補正回路１３５は、複数のＭＵＸ１５が駆動する順番に基づき、画像データ補正ＬＵＴ１３４において算出された補正量を重みづけする（ステップＳ１６）。ラインメモリ１２に格納されているｎ番目のラインデータが、算出された補正量を用いて補正され、出力される（ステップＳ１７）。
【００４４】
次に、一実施形態の変形例によれば、パネル構造に依存した画像データの補正処理が行われる。例えば、ＯＬＥＤパネルでは、入力された画像データのピクセルを、サブピクセルレンダリング（ＳＰＲ）処理により、擬似ピクセルにマッピングし、出力された画像を表示することがある。ＳＰＲ処理において、ピクセルデータを画像の構造にマッピングするとき、複数ライン（例えば２ライン）で表示データの１ラインを表すことがある。
【００４５】
図１０は、一実施形態の変形例における表示装置１ａの構成を示すブロック図である。図１０に示す表示装置１ａは、図１Ａに示した表示装置１と異なり、表示ドライバ１０ａがＳＰＲ処理回路１６を備える。表示装置１ａの構成では、ＳＰＲ処理回路１６と補正回路１３とで一つのラインメモリ１２を共用する。ＳＰＲ処理回路１６は、入力画像データの複数の入力ラインを、一つのラインに変換する。なお、一実施形態の変形例における表示装置１ａにおいて、上述した表示装置１と同様な構成には同じ符号を付しており、詳細な説明は省略する。
【００４６】
以下、ＳＰＲ処理により、入力画像のサブピクセル２ラインを表示データの１ラインとして表す例を説明する。一実施形態の変形例では、次に表示されるラインデータより前に表示された所定数のラインデータのＡＰＬの平均値を算出するとき、入力画像の２ライン単位かつ１ラインずつシフトさせてＡＰＬを算出する。
【００４７】
図１１は、一実施形態の変形例におけるＡＰＬの算出方法の一例を示す図である。図１１に示すように、ＲＧＢモードでは、１ラインずつＡＰＬが算出される。一方、一実施形態の変形例におけるＳＰＲモードでは、ＳＰＲ処理により変換される前の入力画像の入力ラインである２ラインずつＡＰＬが算出される。さらに、例えば、入力画像のｎ番目とｎ＋１番目とのラインの画像データから変換された１ラインのラインデータが次に表示され、電源のゆらぎが表示データの２ラインに影響されるとき、次に表示されるラインデータより前のラインデータのＡＰＬの平均値は、ｎ番目とｎ−１番目とのラインデータのＡＰＬ及びｎ−１番目とｎ−２番目とのラインデータのＡＰＬの平均値である。図１１の例では、ｎ−１番目のラインが２つのＡＰＬを算出するときに重複して用いられ、ＡＰＬは１ラインずつずらして算出される。このように、ＡＰＬ−ＬＵＴ補間回路１３３は、次に表示されるラインに変換された入力画像データの複数の入力ラインから１ラインずつ走査方向の逆方向にずらした所定数の複数の入力ラインに基づき、次に表示されるラインより前に表示された画像データのＡＰＬを算出する。
【００４８】
一実施形態では、上記変形例の２ラインずつＡＰＬを算出する方法と１ラインずつＡＰＬを算出する方法とを一つの表示ドライバにおいて切り替えて用いられてもよい。
【００４９】
以上、限られた数の実施形態に関してのみ説明したが、本開示の利益を有する当業者は、本開示の範囲から逸脱することなく様々な他の実施形態及び変形例が考案され得ることを理解する。実施形態同士又はその変形例が組み合わせされてもよい。したがって、本明細書及び図面は、例示的開示に過ぎない。
【符号の説明】
【００５０】
１、１ａ      表示装置（表示モジュール）
１０、１０ａ  表示ドライバ
１１          インターフェース制御回路
１２          ラインメモリ
１３          補正回路
１３１        ＡＰＬ演算回路
１３２        ＡＰＬリングレジスタ
１３３        ＡＰＬ−ＬＵＴ補間回路
１３４        画像データ補正ＬＵＴ
１３５        ＭＵＸ補正回路
１４          データ線駆動回路
１５          ＭＵＸ
１６          ＳＰＲ処理回路
２０          表示パネル
２１          ゲート線
２２          データ線
２３          ゲート線駆動回路
２４          エミッション駆動回路
２５          エミッション線
Ｐ            画素回路
【図１Ａ】
2019095527.tif 000003
【図１Ｂ】
2019095527.tif 000004
【図２】
2019095527.tif 000005
【図３】
2019095527.tif 000006
【図４】
2019095527.tif 000007
【図５】
2019095527.tif 000008
【図６】
2019095527.tif 000009
【図７】
2019095527.tif 000010
【図８】
2019095527.tif 000011
【図９】
2019095527.tif 000012
【図１０】
2019095527.tif 000013
【図１１】
2019095527.tif 000014